【手続補正書】
【提出日】平成16年4月15日(2004.4.15)
【手続補正１】
【補正対象書類名】明細書
【補正対象項目名】特許請求の範囲
【補正方法】変更
【補正の内容】
【特許請求の範囲】
【請求項１】
第１の入力信号に応じて掃き出し電流を発生する掃き出し電流発生手段と、第２の入力信号に応じて吸い込み電流を発生する吸い込み電流発生手段とを有し、プッシュプル動作を行うチャージポンプ回路であって、
前記吸い込み電流発生手段は、前記第２の入力信号に基づく電流を流す第１の電流発生手段と、前記第１の電流発生手段と対をなし、前記第２の入力信号に基づく電流とほぼ等しい前記吸い込み電流を出力する第２の電流発生手段とを有するカレントミラー回路を有する
ことを特徴とするチャージポンプ回路。
【請求項２】
請求項１記載のチャージポンプ回路において、
前記掃き出し電流発生手段は、前記第１の入力信号に基づく電流を流す第３の電流発生手段と、前記第３の電流発生手段と対をなし、前記第３の入力信号に基づく電流とほぼ等しい前記掃き出し電流を出力する第４の電流発生手段とを有するカレントミラー回路を有する
ことを特徴とするチャージポンプ回路。
【請求項３】
請求項１又は２記載のチャージポンプ回路において、
前記吸い込み電流発生手段又は前記掃き出し電流発生手段は、前記第１又は第３の電流発生手段を構成するトランジスタと前記第２又は第４の電流発生手段を構成するトランジスタのベース電流を補償するベース電流補償手段を更に有する
ことを特徴とするチャージポンプ回路。
【請求項４】
請求項１乃至３のいずれかに記載のチャージポンプ回路において、
前記吸い込み電流発生手段又は前記掃き出し電流発生手段を構成する前記第２又は第４の電流発生手段は、並列に接続された複数のトランジスタを有する
ことを特徴とするチャージポンプ回路。
【請求項５】
請求項１乃至４のいずれかに記載のチャージポンプ回路において、
前記吸い込み電流発生手段又は前記掃き出し電流発生手段を構成する前記第１又は第３の電流発生手段は、前記第１又は第３の電流発生手段を構成するトランジスタのエミッタに接続され、出力電流を制御する第１又は第３の抵抗を有し、
前記吸い込み電流発生手段又は前記掃き出し電流発生手段を構成する前記第２又は第４の電流発生手段は、前記第２又は第４の電流発生手段を構成するトランジスタのエミッタに接続され、出力電流を制御する第２又は第４の抵抗を有する
ことを特徴とするチャージポンプ回路。
【請求項６】
印加電圧によって発振周波数が制御される電圧制御発振器と、
前記電圧制御発振器の出力発振信号を分周する分周器と、
基準発振器より出力された基準発振信号と、前記分周器により分周された前記電圧制御発振器の出力発振信号との位相差を比較し、前記位相差に応じた出力パルスを発生する位相比較器と、
前記位相比較器の出力パルスに基づいて所定の電流出力を発生する請求項１乃至５のいずれかに記載のチャージポンプ回路と、
前記チャージポンプ回路の出力に応じた電圧信号を前記電圧制御発振器に出力するループフィルタと
を有することを特徴とするＰＬＬ周波数シンセサイザ。
【手続補正２】
【補正対象書類名】明細書
【補正対象項目名】００１８
【補正方法】変更
【補正の内容】
【００１８】
【課題を解決するための手段】
上記目的は、第１の入力信号に応じて掃き出し電流を発生する掃き出し電流発生手段と、第２の入力信号に応じて吸い込み電流を発生する吸い込み電流発生手段とを有し、プッシュプル動作を行うチャージポンプ回路であって、前記吸い込み電流発生手段は、前記第２の入力信号に基づく電流を流す第１の電流発生手段と、前記第１の電流発生手段と対をなし、前記第２の入力信号に基づく電流とほぼ等しい前記吸い込み電流を出力する第２の電流発生手段とを有するカレントミラー回路を有することを特徴とするチャージポンプ回路によって達成される。このようにしてチャージポンプ回路を構成することにより、電源電圧や温度の変動による吸い込み電流側の出力電流の変動を大幅に抑えることができる。


【手続補正３】
【補正対象書類名】明細書
【補正対象項目名】００１９
【補正方法】変更
【補正の内容】
【００１９】
また、上記のチャージポンプ回路において、前記掃き出し電流発生手段は、前記第１の入力信号に基づく電流を流す第３の電流発生手段と、前記第３の電流発生手段と対をなし、前記第１の入力信号に基づく電流とほぼ等しい前記掃き出し電流を出力する第４の電流発生手段とを有するカレントミラー回路を有することが望ましい。このようにしてチャージポンプ回路を構成することにより、電源電圧や温度の変動による掃き出し電流側の出力電流の変動をも大幅に抑えることができる。


【手続補正４】
【補正対象書類名】明細書
【補正対象項目名】００２０
【補正方法】変更
【補正の内容】
【００２０】
また、上記のチャージポンプ回路において、前記吸い込み電流発生手段又は前記掃き出し電流発生手段は、前記第１又は第３の電流発生手段を構成するトランジスタと前記第２又は第４の電流発生手段を構成するトランジスタのベース電流を補償するベース電流補償手段を更に有することが望ましい。このようにしてチャージポンプ回路を構成することにより、カレントミラー回路を構成するトランジスタのベース電流を補正することができる。


【手続補正５】
【補正対象書類名】明細書
【補正対象項目名】００２１
【補正方法】変更
【補正の内容】
【００２１】
また、上記のチャージポンプ回路において、前記吸い込み電流発生手段又は前記掃き出し電流発生手段を構成する前記第２又は第４の電流発生手段は、並列に接続された複数のトランジスタを有することが望ましい。このようにしてチャージポンプ回路を構成することにより、出力電流を所望の値に調整することができる。
また、上記のチャージポンプ回路において、前記吸い込み電流発生手段又は前記掃き出し電流発生手段を構成する前記第１又は第３の電流発生手段は、前記第１又は第３の電流発生手段を構成するトランジスタのエミッタに接続され、出力電流を制御する第１又は第３の抵抗を有し、前記吸い込み電流発生手段又は前記掃き出し電流発生手段を構成する前記第２又は第４の電流発生手段は、前記第２又は第４の電流発生手段を構成するトランジスタのエミッタに接続され、出力電流を制御する第２又は第４の抵抗を有することが望ましい。このようにしてチャージポンプ回路を構成することにより、出力電流を所望の値に調整することができる。


【手続補正６】
【補正対象書類名】明細書
【補正対象項目名】００６２
【補正方法】変更
【補正の内容】
【００６２】
【発明の効果】
以上の通り、本発明によれば、第１の入力信号に応じて掃き出し電流を発生する掃き出し電流発生手段と、第２の入力信号に応じて吸い込み電流を発生する吸い込み電流発生手段とを有し、プッシュプル動作を行うチャージポンプ回路であって、吸い込み電流発生手段を、第２の入力信号に基づく電流を流す第１の電流発生手段と、第１の電流発生手段と対をなし、第２の入力信号に基づく電流とほぼ等しい吸い込み電流を出力する第２の電流発生手段とを有するカレントミラー回路により構成するので、電源電圧や温度の変動による吸い込み電流側の出力電流の変動を大幅に抑えることができる。


【手続補正７】
【補正対象書類名】明細書
【補正対象項目名】００６３
【補正方法】変更
【補正の内容】
【００６３】
また、上記のチャージポンプ回路において、掃き出し電流発生手段を、第１の入力信号に基づく電流を流す第３の電流発生手段と、第３の電流発生手段と対をなし、第１の入力信号に基づく電流とほぼ等しい掃き出し電流を出力する第４の電流発生手段とを有するカレントミラー回路により構成すれば、電源電圧や温度の変動による掃き出し電流側の出力電流の変動をも大幅に抑えることができる。


【手続補正８】
【補正対象書類名】明細書
【補正対象項目名】００６４
【補正方法】変更
【補正の内容】
【００６４】
また、上記のチャージポンプ回路において、吸い込み電流発生手段又は掃き出し電流発生手段に、第１又は第３の電流発生手段を構成するトランジスタと第２又は第４の電流発生手段を構成するトランジスタのベース電流を補償するベース電流補償手段を更に設ければ、カレントミラー回路を構成するトランジスタのベース電流を補正することができる。


【手続補正９】
【補正対象書類名】明細書
【補正対象項目名】００６５
【補正方法】変更
【補正の内容】
【００６５】
また、上記のチャージポンプ回路において、吸い込み電流発生手段又は掃き出し電流発生手段を構成する第２又は第４の電流発生手段を、並列に接続された複数のトランジスタにより構成すれば、出力電流を所望の値に調整することができる。
また、上記のチャージポンプ回路において、吸い込み電流発生手段又は掃き出し電流発生手段を構成する第１又は第３の電流発生手段に、第１又は第３の電流発生手段を構成するトランジスタのエミッタに接続され、出力電流を制御する第１又は第３の抵抗を設け、吸い込み電流発生手段又は掃き出し電流発生手段を構成する第２又は第４の電流発生手段に、第２又は第４の電流発生手段を構成するトランジスタのエミッタに接続され、出力電流を制御する第２又は第４の抵抗を設ければ、出力電流を所望の値に調整することができる。
また、印加電圧によって発振周波数が制御される電圧制御発振器と、電圧制御発振器の出力発振信号を分周する分周器と、基準発振器より出力された基準発振信号と、分周器により分周された電圧制御発振器の出力発振信号との位相差を比較し、位相差に応じた出力パルスを発生する位相比較器と、位相比較器の出力パルスに基づいて所定の電流出力を発生する上記のチャージポンプ回路と、チャージポンプ回路の出力に応じた電圧信号を電圧制御発振器に出力するループフィルタとによりＰＬＬ周波数シンセサイザを構成することにより、電源電圧や温度の変動に対するチャージポンプ回路の動作安定性を向上することができるので、安定した周波数切り換え時間、及び安定したＶＣＯ出力を有するＰＬＬ周波数シンセサイザを得ることができる。